(57)【特許請求の範囲】
【請求項１】
表示モジュールと、
枠の一面の両端にフレーム側係合部が形成され、前記枠内に前記表示モジュールを保持するフレーム部材と、
前記表示モジュールの表示面上に設けられたタッチパネルと、
一端面にカバー側係合部が形成されており、前記フレーム部材に組み付けられて前記表示モジュールの背面側を覆うカバー部材と、
長手方向の両端に形成された第１の係合部、前記長手方向に直交する方向に底面から板状に張り出した張り出し部および前記張り出し部に形成された第２の係合部を有し、前記第１の係合部が前記フレーム側係合部と係合し、前記第２の係合部が前記カバー側係合部と係合して前記タッチパネルのタッチ面上に組み付けられる操作部とを備える表示装置。
【発明の詳細な説明】
【技術分野】
【０００１】
この発明は、タッチパネルを備える表示装置に関する。
【背景技術】
【０００２】
例えば、特許文献１には、表示面上にタッチパネルを有する従来の表示装置が開示されている。この表示装置は、ハードウェアボタンやマイクが配置された操作部をタッチパネルのタッチ面周部に備えている。
【先行技術文献】
【特許文献】
【０００３】
【特許文献１】特開２００７−２３３２５７号公報
【発明の概要】
【発明が解決しようとする課題】
【０００４】
近年、意匠性および操作性の向上を図るため、タッチパネルとこれを支持するパネル枠をフラット化した表示装置が普及している。
このような表示装置に特許文献１記載の操作部を設ける場合、パネル枠（特許文献１のキャビネット）の前面からタッチパネルを取り付けた後に別ピースの操作部を組み付ける必要がある。
【０００５】
従来では、上記パネル枠の下部左右と下面にそれぞれ係合部が形成されており、操作部は、これらの係合部に係合固定されて保持される。このため、操作部のみに上方向の力を加えるか、パネル枠から引き抜く方向に力を加えると、操作部が容易に外れるという課題があった。
【０００６】
この発明は、上記のような課題を解決するためになされたもので、タッチパネルのタッチ面上に組み付ける操作部の組み付け力を向上させることができる表示装置を得ることを目的とする。
【課題を解決するための手段】
【０００７】
この発明に係る表示装置は、表示モジュールと、枠の一面の両端にフレーム側係合部が形成されており、枠内に表示モジュールを保持するフレーム部材と、表示モジュールの表示面上に設けられたタッチパネルと、一端面にカバー側係合部が形成されており、フレーム部材に組み付けられて表示モジュールの背面側を覆うカバー部材と、長手方向の両端に形成された第１の係合部、長手方向に直交する方向に底面から板状に張り出した張り出し部および張り出し部に形成された第２の係合部を有し、第１の係合部がフレーム側係合部と係合し、第２の係合部がカバー側係合部と係合してタッチパネルのタッチ面上に組み付けられる操作部とを備える。
【発明の効果】
【０００８】
この発明によれば、タッチパネルのタッチ面上に組み付ける操作部の組み付け力を向上させることができるという効果がある。
【図面の簡単な説明】
【０００９】
【図１】この発明の実施の形態１に係る表示装置を示す斜視図である。
【図２】実施の形態１に係る表示装置の分解斜視図である。
【図３】図２のＢ部の詳細を示す図である。
【図４】実施の形態１に係る表示装置の組み付け手順を示す上方斜視図である。
【図５】実施の形態１に係る表示装置の組み付け手順を示す下方斜視図である。
【図６】従来の表示装置の組み付け手順を示す上方斜視図である。
【図７】従来の表示装置の組み付け手順を示す下方斜視図である。
【図８】図１のＡ−Ａ線で表示装置を切った側方断面図である。
【発明を実施するための形態】
【００１０】
実施の形態１．
図１は、この発明の実施の形態１に係る表示装置を示す斜視図である。また、図２は、実施の形態１に係る表示装置の分解斜視図である。図３は、図２のＢ部の詳細を示す図である。さらに、図４は、実施の形態１に係る表示装置の組み付け手順を示す上方斜視図である。図５は、実施の形態１に係る表示装置の組み付け手順を示す下方斜視図である。
表示装置１は、例えば、車載用のナビゲーション装置の表示装置やディスプレイ付きのオーディオ機器で実現される。また、表示装置１は、図１および図２に示すように、表示モジュール６がモニタパネル３に収容され、その背面側を覆うようにカバー板金４が組み付けられる。タッチパネル２はモニタパネル３に保持され、図１に示すように、タッチパネル２のタッチ面周縁下部に操作部５が組み付けられる。
【００１１】
モニタパネル３は、図４および図５に示すように、枠の一面の両端にフレーム側係合部として係合爪部３ａが形成されており、この枠内に表示モジュール６を保持するフレーム部材である。
また、カバー板金４は、モニタパネル３に組み付けられて表示モジュール６の背面側を覆うカバー部材である。カバー板金４には、図５に示すように、底面となる一端面にカバー側係合部として係合穴部４ａが形成されている。
表示モジュール６は、画像を表示する表示モジュールであり、例えば液晶パネルとその背面側から照明するバックライトを備えて構成される。
【００１２】
操作部５は、図２に示すように、タッチパネル２の幅と同等な横寸法を有する直方体の操作部であり、ハードウェアボタンおよびマイクなどを備えている。
また、操作部５には、長手方向に直交する方向に底面から板状の張り出し部５ａが形成されており、長手方向の両端には、図３に示すように、第１の係合部として係合爪部５ｂが形成され、張り出し部５ａには、図５に示すように、第２の係合部として係合爪部５ｃが形成されている。
操作部５に配置されたハードウェアボタンおよびマイクは、フレキシブルフラットケーブル（以下、ＦＦＣと略す）７ａ〜７ｃを介して、表示モジュール６の背面に配置された回路基板に接続されている。すなわち、ハードウェアボタンを操作した操作信号やマイクが集音した信号は、ＦＦＣ７ａ〜７ｃを介して回路基板に伝達される。
【００１３】
表示装置１の組み立て手順は、図４に示すように、モニタパネル３に表示モジュール６を収容し、その表示面側にタッチパネル２を貼り付けた構造体を組み立てる。この後、上記構造体の背面側からカバー板金４を組み付け、表示面側からタッチパネル２の周縁下部に操作部５が組み付ける。このとき、操作部５は、図４および図５に示すように、係合爪部５ｂが係合爪部３ａと引っ掛かり係合して長手方向の両端が固定され、張り出し部５ａの係合爪部５ｃがカバー板金４の係合穴部４ａに嵌合係合して底面部が固定される。
操作部５が組み付けられた状態においては、張り出し部５ａおよびカバー板金４の底面部がモニタパネル３の底面を覆っている。
【００１４】
図６は、従来の表示装置の組み付け手順を示す上方斜視図であり、図７は、従来の表示装置の組み付け手順を示す下方斜視図である。図６に示すように、従来の表示装置１００においても、タッチパネル１０１のタッチ面上に操作部１０４を組み付けるために、モニタパネル１０２に表示モジュールを収容し、その表示面側にタッチパネル１０１を貼り付けた構造体を先に組み立てる。
【００１５】
従来のモニタパネル１０２は、操作部１０４の短手方向の幅と同等な寸法で底面が張り出している。この張り出し部には、図７に示すように、係合穴部１０２ｃと係合爪部１０２ｂが形成されている。
また、カバー板金１０３の底面には、図７に示すように、係合穴部１０３ａが形成されている。操作部１０４は、タッチパネル１０１の幅と同等な横寸法を有する直方体の操作部であり、その長手方向の両端に係合爪部１０４ｂが形成されており、底面には係合爪部１０４ｂが形成されている。
【００１６】
従来の表示装置１００においても、上記構造体の背面側からカバー板金１０３を組み付け、表示面側からタッチパネル１０１の周縁下部に操作部１０４が組み付けられる。
このとき、カバー板金１０３は、係合穴部１０３ａにモニタパネル１０２の係合爪部１０２ｄが嵌合係合して底面部が固定される。
一方、操作部１０４は、図７に示す係合爪部１０４ａが係合爪部１０２ａと引っ掛かり係合して長手方向の両端が固定され、さらに底面の係合爪部１０４ｂが係合穴部１０２ｃに嵌合係合して底面部が固定される。従って、操作部１０４が組み付けられた状態においては、モニタパネル１０２の底面のタッチパネル１０１側に操作部１０４が配置される。
【００１７】
図８は、図１のＡ−Ａ線で表示装置を切った側方断面図であり、図８（ａ）は、従来の表示装置を示し、図８（ｂ）は、実施の形態１に係る表示装置を示している。図８（ａ）に示すように、従来の表示装置１００では、モニタパネル１０２から張り出した底面とその両側で操作部１０４を保持している。すなわち、操作部１０４は、係合爪部１０４ａ，１０４ｂの係合によってのみモニタパネル１０２に固定されている。このため、例えば、操作部１０４に対して図１に示すａ方向に外力を加えた場合、操作部１０４が外れやすいという欠点がある。これは、操作部１０４に対して図１に示すｂ方向に外力を加えた場合も同様であり、操作部１０４が簡単に抜けてしまう。
【００１８】
また、従来の表示装置１００では、操作部１０４のハードウェアボタンおよびマイクと接続するＦＦＣ１０５ａ〜１０５ｃを表示モジュールの背面側に配置した回路基板に接続するために、図８（ａ）に示すように、モニタパネル１０２の底面とタッチパネル１０１および表示モジュール１０６の下面との隙間にＦＦＣ１０５ａ〜１０５ｃを通す必要があった。この隙間は、表示装置１００を小型化するためになるべく狭く設定されるので、ＦＦＣ１０５ａ〜１０５ｃを通す作業は非常に作業性が悪く、ＦＦＣ１０５ａ〜１０５ｃが曲がる、屈曲し断線するなどの懸念点もあった。
さらに、操作部１０４を固定するための係合爪部の爪を高くすると、ＦＦＣ１０５ａ〜１０５ｃを通す作業がさらに困難になるため、爪を高くすることができず、上述した操作部１０４の外れやすさを助長していた。
【００１９】
これに対して、この発明に係る表示装置１では、図８（ｂ）に示すように、操作部５の底面を板状に張り出した張り出し部５ａとカバー板金４の底面とを係合固定し、これらで表示装置１の底面が形成される。これにより、操作部５に対して図１のａ方向に外力が加わっても、この外力は、張り出し部５ａがカバー板金４の底面を内側から押圧する力に変換される。このため、操作部５は、従来と比較して格段に外れにくくなっている。
また、操作部５のＦＦＣ７ａ〜７ｃは、モニタパネル２の下面から表示モジュール６の背面にある回路基板に接続すればよく、従来のように隙間を通す必要がない。
従って、張り出し部５ａに設けた係合爪部５ｃの爪を高くすることも可能であり、この場合、操作部５に対して図１に示すｂ方向に外力が加わっても容易に外れなくなる。
【００２０】
さらに、従来の表示装置１００では、図８（ａ）に示すように、モニタパネル１０２の底面上に操作部１０４が配置されることになる。一方、この発明に係る表示装置１では、図８（ｂ）に示すように、表示装置１の底面が操作部５の底面とフラットの関係になる。
このため、操作部１０４がタッチパネル１０１側を占有する高さＣ１よりも操作部５がタッチパネル２側を占有する高さＣ２が低くなる。従って、この発明に係る表示装置１では、タッチパネル２のタッチ面を使用できる有効エリアを拡大することが可能である。
【００２１】
以上のように、この実施の形態１によれば、表示モジュール６と、枠の一面の両端に係合爪部３ａが形成されており、枠内に表示モジュール６を保持するモニタパネル３と、表示モジュール６の表示面上に設けられたタッチパネル２と、一端面に係合穴部４ａが形成されており、モニタパネル３に組み付けられて表示モジュール６の背面側を覆うカバー板金４と、長手方向の両端に形成された係合爪部５ｂ、長手方向に直交する方向に底面から板状に張り出した張り出し部５ａおよび張り出し部５ａに形成された係合爪部５ｃを有し、係合爪部５ｂが係合爪部３ａと係合し、係合爪部５ｃが係合穴部４ａと係合してタッチパネル２の前面に組み付けられる操作部５とを備える。このように構成することで、タッチパネル２のタッチ面上に組み付ける操作部５の組み付け力を向上させることができる。
【００２２】
なお、本発明はその発明の範囲内において、実施の形態の任意の構成要素の変形、もしくは実施の形態の任意の構成要素の省略が可能である。
【符号の説明】
【００２３】
１  表示装置、２  タッチパネル、３  モニタパネル、３ａ，５ｂ，５ｃ  係合爪部、４  カバー板金、４ａ  係合穴部、５  操作部、５ａ  張り出し部、６  表示モジュール、７ａ〜７ｃ  ＦＦＣ。
【図１】
0006029564.tif 000002
【図２】
0006029564.tif 000003
【図３】
0006029564.tif 000004
【図４】
0006029564.tif 000005
【図５】
0006029564.tif 000006
【図６】
0006029564.tif 000007
【図７】
0006029564.tif 000008
【図８】
0006029564.tif 000009